(57)【特許請求の範囲】
【請求項１】
洗濯機本体の外枠下部と床面との隙間周辺を遮蔽し、人体の侵入を防止する保護カバーを備え、前記保護カバーは、洗濯機本体の外枠下部の隙間に対応した複数の遮蔽板部をヒンジ部にて一体的に連結して構成し、ヒンジ部に屈曲自在性を持たせた洗濯機。
【請求項２】
保護カバーは、洗濯機本体の底部コーナを構成する脚部補強板に設けたフランジ部に係合する係合フック部を設けるとともに、洗濯機本体の外枠下部のフランジ部に嵌着するガイドリブ部を設けた請求項１記載の洗濯機。
【請求項３】
保護カバーは、隣合う遮蔽板部の間が所定角度以上広がらないように規制するストッパーガイド部を遮蔽板部の折り曲げ合流位置に形成した請求項１または２記載の洗濯機。
【請求項４】
保護カバーは、洗濯機本体の外枠下部の前面側に対応した前面遮蔽板部を有する第１の遮蔽板部と、側面側に対応した側面遮蔽板部を有する第２の遮蔽板部とをヒンジ部にて連結して構成し、前記第１の遮蔽板部は、洗濯機本体の底部コーナを構成する脚部補強板に設けたフランジ部に係合する係合フック部を有し、前記ヒンジ部を切断し前記第２の遮蔽板部を取り除いても、洗濯機本体の外枠下部に取着した状態を維持可能にした請求項１または２記載の洗濯機。
【請求項５】
保護カバーの樹脂成形時の形態は、複数の遮蔽板部をヒンジ部にて連結し、前記複数の遮蔽板部を重ね折り状態にした請求項１〜４のいずれか１項に記載の洗濯機。
【発明の詳細な説明】
【０００１】
【発明の属する技術分野】
本発明は、洗濯機本体の外枠下部と床面との隙間周辺を遮蔽し、人体の侵入を防止する保護カバーを備えた洗濯機に関するものである。
【０００２】
【従来の技術】
従来、この種の洗濯機は、図１０および図１１に示すように構成していた。以下、その構成について説明する。
【０００３】
図１０に示すように、洗濯機本体２７の外枠下部２８と床面２９との隙間周辺を遮蔽し、手や足等の人体の侵入を防止するため、洗濯機本体２７の外枠下部２８の隙間に対応した別体の保護カバー３０、３１を複数のビス３２等により脚部３３間に、外枠下部２８のフランジ部３４に取着している。
【０００４】
保護カバー３０、３１の取着位置は、図１１に示すように、手や足等の人体が、洗濯機本体２７内の洗濯兼脱水槽および洗濯用回転翼（図示せず）を回転駆動するモータ３５の回転近傍部に触れないように遮蔽し、安全性を確保させている構成になっている。なお、保護カバー３０、３１の取着位置は、モータ３５の位置や水受け槽３６の形態により、前面、左右いずれかが必要になる。
【０００５】
【発明が解決しようとする課題】
このような従来の構成では、洗濯機本体２７の外枠下部２８の隙間に対応した別体の保護カバー３０、３１を複数のビス３２等により脚部３３間に取着しているため、保護カバー３０、３１をそれぞれ複数のビス等３２により組立が必要であり、工数面での増大による生産性低下と、コスト的にも非常に高価なものになっていた。
【０００６】
また、保護カバー３０、３１が別体のものになっていることから、保護カバー３０、３１に直接外力が加わった場合に、非常に強度が弱い構成になっており、強いては安全性に欠くものであった。
【０００７】
本発明は上記課題を解決するもので、複数の遮蔽板部を１個の保護カバーで構成可能にし、組立性の簡素化により工数を低減して生産性を向上し、安価にするとともに、保護カバーの組立前の保管や、輸送時のスペース小さくすることを目的としている。
【０００８】
【課題を解決するための手段】
本発明は上記目的を達成するために、洗濯機本体の外枠下部と床面との隙間周辺を遮蔽し、人体の侵入を防止する保護カバーを備え、この保護カバーは、洗濯機本体の外枠下部の隙間に対応した複数の遮蔽板部をヒンジ部にて一体的に連結して構成し、ヒンジ部に屈曲自在性を持たせたものである。
【０００９】
これにより、複数の遮蔽板部を１個の保護カバーで構成でき、組立性の簡素化により工数を低減して生産性を向上し、安価にできるとともに、保護カバーの組立前の保管や、輸送時のスペース小さくすることができる。
【００１０】
【発明の実態の形態】
本発明の請求項１に記載の発明は、洗濯機本体の外枠下部と床面との隙間周辺を遮蔽し、人体の侵入を防止する保護カバーを備え、前記保護カバーは、洗濯機本体の外枠下部の隙間に対応した複数の遮蔽板部をヒンジ部にて一体的に連結して構成し、ヒンジ部に屈曲自在性を持たせたものであり、複数の遮蔽板部を１個の保護カバーにより構成することができ、保護カバーの洗濯機本体との取付に要するビス数を半減させ、組立性の簡素化により工数を低減して生産性を向上し、安価にすることができる。さらに、複数の遮蔽板部をヒンジ部にて一体的に連結して構成し、ヒンジ部に屈曲自在性を持たせているため、隣合う遮蔽板部を折り曲げて保管収納できるので、保護カバーの組立前の保管や、輸送時の収納ケースのスペースを小さくでき、また、複数の遮蔽板部がセットとなっているため、組立時の部品間違いを防止することができる。
【００１１】
請求項２に記載の発明は、上記請求項１に記載の発明において、保護カバーは、洗濯機本体の底部コーナを構成する脚部補強板に設けたフランジ部に係合する係合フック部を設けるとともに、洗濯機本体の外枠下部のフランジ部に嵌着するガイドリブ部を設けたものであり、保護カバーは、係合フック部とガイドリブ部により、洗濯機本体の外枠下部に係合嵌着することができ、遮蔽板部の両端部のみのビス固定で確実に固定することができ、組立時のセット性も簡素化することができる。
【００１２】
請求項３に記載の発明は、上記請求項１または２に記載の発明において、保護カバーは、隣合う遮蔽板部の間が所定角度以上広がらないように規制するストッパーガイド部を遮蔽板部の折り曲げ合流位置に形成したものであり、保護カバーに直接外力が加わった場合に、ストッパーガイド部により各遮蔽板部が所定角度以上広がらないように当接しあうことで、常に外力に対する強度を維持することができる。
【００１３】
請求項４に記載の発明は、上記請求項１または２に記載の発明において、保護カバーは、洗濯機本体の外枠下部の前面側に対応した前面遮蔽板部を有する第１の遮蔽板部と、側面側に対応した側面遮蔽板部を有する第２の遮蔽板部とをヒンジ部にて連結して構成し、前記第１の遮蔽板部は、洗濯機本体の底部コーナを構成する脚部補強板に設けたフランジ部に係合する係合フック部を有し、前記ヒンジ部を切断し前記第２の遮蔽板部を取り除いても、洗濯機本体の外枠下部に取着した状態を維持可能にしたものであり、ヒンジ部を切断し第２の遮蔽板部を取り除いても、第１の遮蔽板部は、洗濯機本体の外枠下部に取着した状態を維持可能にできることから、万一、洗濯機側面側の床面に横桟等の弊害物があった場合、不要な第２の遮蔽板部を容易に外すことができ、設置性を向上することができる。
【００１４】
請求項５に記載の発明は、上記請求項１〜４に記載の発明において、保護カバーの樹脂成形時の形態は、複数の遮蔽板部をヒンジ部にて連結し、前記複数の遮蔽板部を重ね折り状態にしたものであり、保護カバーは、複数の遮蔽板部をヒンジ部にて連結し、複数の遮蔽板部を重ね折り状態にした状態で、樹脂成形時の形態を小型化にできることから、樹脂成形金型および成型機を小型化でき、さらに、成形時間の短縮に伴い合理化することができるため、安価に製造可能となる。
【００１５】
【実施例】
以下、本発明の実施例について、図面を参照しながら説明する。
【００１６】
（実施例１）
図１および図２に示すように、洗濯機本体１の外枠下部２に、床面３との隙間周辺を遮蔽し、人体の侵入を防止する保護カバー４を配設している。保護カバー４は、洗濯機本体１の外枠下部２の隙間に対応し、脚部６間に配設した複数の遮蔽板部５ａ、５ｂをヒンジ部７にて一体的に連結して構成し、図３に示すように、ヒンジ部７に屈曲自在性を持たせ、複数の遮蔽板部５ａ、５ｂを１個の部品より一体的に構成可能にしている。保護カバー４の洗濯機本体１との取付に要するビス８の数は最小限にとどめ、遮蔽板部５ａ、５ｂのそれぞれ両端部にビス８にて外枠下部２に締結している。
【００１７】
上記構成において作用を説明すると、保護カバー４の洗濯機本体１との取付に要するビス８の数は最小限にとどめることで、ビス８の数の半減化や、組立性の簡素化による工数を低減できて生産性を向上することができ、コスト的にも非常に安価なものとなる。さらに、複数の遮蔽板部５ａ、５ｂをヒンジ部７にて一体的に連結して構成し、ヒンジ部７に屈曲自在性を持たせているため、図３の二点鎖線で示すように、遮蔽板部５ａ、５ｂを折り曲げて保管収納できるので、保護カバー４の組立前時の保管や、輸送、移動時の収納ケースの省スペースが図れ、また、複数の遮蔽板部５ａ、５ｂがセットとなっているため、組立時の部品間違いを防止することができる。
【００１８】
（実施例２）
図４に示すように、保護カバー９は、洗濯機本体１の底部コーナを構成する脚部補強板１０に設けたフランジ部１０ａに係合する係合フック部１１を設けるとともに、洗濯機本体１の外枠下部２のフランジ部２ａに挟み込むように嵌着するガイドリブ部１２とを設けている。他の構成は上記実施例１と同じである。
【００１９】
上記構成において作用を説明すると、図５に示すように、洗濯機本体１の脚部補強板１０に設けたフランジ部１０ａに係合フック部１１を係合し、図６に示すように、洗濯機本体１の外枠下部２のフランジ部２ａに挟み込むようにガイドリブ部１２を嵌着するため、遮蔽板部の両端部のみをビス８により固定することで確実に固定することができ、組立時のセット性も簡素化することができる。
【００２０】
（実施例３）
図７に示すように、保護カバー１３は、隣合う遮蔽板部１４ａ、１４ｂの間が所定角度Ｂ以上広がらないように規制するストッパーガイド部１５、１６を遮蔽板部１４ａ、１４ｂの折り曲げ合流位置に形成している。他の構成は上記実施例１または２と同じである。
【００２１】
上記構成において作用を説明すると、保護カバー１３に洗濯機本体１の外方向（矢印Ａ）より、直接外力が加わった場合に、ストッパーガイド部１５、１６が遮蔽板部１４ａ、１４ｂが所定角度以上広がらないように当接し合うことにより、常に外力に対する強度を維持することができる。
【００２２】
（実施例４）
図８に示すように、保護カバー１７は、洗濯機本体１の外枠下部２の前面側に対応した前面遮蔽板部１８を有する第１の遮蔽板部１９と、側面側に対応した側面遮蔽板部２０を有する第２の遮蔽板部２１とをヒンジ部２２にて連結して構成している。第１の遮蔽板部１９は、洗濯機本体の底部コーナを構成する脚部補強板１０に設けたフランジ部に係合する係合フック部２３を有し、ヒンジ部２２を切断し第２の遮蔽板部２１を取り除いても、洗濯機本体１の外枠下部２に取着した状態を維持可能にしている。他の構成は上記実施例１または２と同じである。
【００２３】
上記構成において作用を説明すると、ヒンジ部２２をカッター等で切断し、図８の二点鎖線で示すように、第２の遮蔽板部２１を取り除いても、第１の遮蔽板部１９は、洗濯機本体１の外枠下部２に取着した状態を維持可能にできることから、万一、洗濯機側面側の床面に横桟等の弊害物があった場合、不要な第２の遮蔽板部２１を容易に外すことができ、設置性を向上することができる。
【００２４】
（実施例５）
図９に示すように、保護カバー２４の樹脂成形時の形態は、複数の遮蔽板部２５ａ、２５ｂをヒンジ部２６にて連結し、複数の遮蔽板部２５ａ、２５ｂを重ね折り状態にしたものである。他の構成は上記実施例１〜４と同じである。
【００２５】
上記構成において作用を説明すると、保護カバー２４は、複数の遮蔽板部２５ａ、２５ｂをヒンジ部２６にて連結し、複数の遮蔽板部２５ａ、２５ｂを重ね折り状態にした状態で、樹脂成形時の形態を小型化にできることから、樹脂成形金型および成型機を小型化することができ、さらに成形時間の短縮化に伴い、合理化することができるため、安価に製造可能となる。
【００２６】
【発明の効果】
以上のように本発明の請求項１に記載の発明によれば、洗濯機本体の外枠下部と床面との隙間周辺を遮蔽し、人体の侵入を防止する保護カバーを備え、前記保護カバーは、洗濯機本体の外枠下部の隙間に対応した複数の遮蔽板部をヒンジ部にて一体的に連結して構成し、ヒンジ部に屈曲自在性を持たせたから、複数の遮蔽板部を１個の保護カバーにより構成することができ、保護カバーの洗濯機本体との取付に要するビス数を半減させ、組立性の簡素化により工数を低減して生産性を向上し、安価にすることができる。さらに、複数の遮蔽板部をヒンジ部にて一体的に連結して構成し、ヒンジ部に屈曲自在性を持たせているため、隣合う遮蔽板部を折り曲げて保管収納できるので、保護カバーの組立前の保管や、輸送時の収納ケースのスペースを小さくでき、また、複数の遮蔽板部がセットとなっているため、組立時の部品間違いを防止することができる。
【００２７】
また、請求項２に記載の発明によれば、保護カバーは、洗濯機本体の底部コーナを構成する脚部補強板に設けたフランジ部に係合する係合フック部を設けるとともに、洗濯機本体の外枠下部のフランジ部に嵌着するガイドリブ部を設けたから、保護カバーは係合フック部とガイドリブ部により、洗濯機本体の外枠下部に係合嵌着することができ、遮蔽板部の両端部のみのビス固定で確実に固定することができ、組立時のセット性も簡素化することができる。
【００２８】
また、請求項３に記載の発明によれば、保護カバーは、隣合う遮蔽板部の間が所定角度以上広がらないように規制するストッパーガイド部を遮蔽板部の折り曲げ合流位置に形成したから、保護カバーに直接外力が加わった場合に、ストッパーガイド部により各遮蔽板部が所定角度以上広がらないように当接しあうことで、常に外力に対する強度を維持することができる。
【００２９】
また、請求項４に記載の発明によれば、保護カバーは、洗濯機本体の外枠下部の前面側に対応した前面遮蔽板部を有する第１の遮蔽板部と、側面側に対応した側面遮蔽板部を有する第２の遮蔽板部とをヒンジ部にて連結して構成し、前記第１の遮蔽板部は、洗濯機本体の底部コーナを構成する脚部補強板に設けたフランジ部に係合する係合フック部を有し、前記ヒンジ部を切断し前記第２の遮蔽板部を取り除いても、洗濯機本体の外枠下部に取着した状態を維持可能にしたから、ヒンジ部を切断し第２の遮蔽板部を取り除いても、第１の遮蔽板部は、洗濯機本体の外枠下部に取着した状態を維持可能にできることから、万一、洗濯機側面側の床面に横桟等の弊害物があった場合、不要な第２の遮蔽板部を容易に外すことができ、設置性を向上することができる。
【００３０】
また、請求項５に記載の発明によれば、保護カバーの樹脂成形時の形態は、複数の遮蔽板部をヒンジ部にて連結し、前記複数の遮蔽板部を重ね折り状態にしたから、保護カバーは複数の遮蔽板部をヒンジ部にて連結し、複数の遮蔽板部を重ね折り状態にした状態で、樹脂成形時の形態を小型化にできることから、樹脂成形金型および成型機を小型化でき、さらに、成形時間の短縮に伴い合理化することができるため、安価に製造可能となる。
【図面の簡単な説明】
【図１】本発明の第１の実施例の洗濯機の底面図
【図２】同洗濯機の斜視図
【図３】同洗濯機の保護カバーの展開状態を示す平面図
【図４】本発明の第２の実施例の洗濯機の底面から見た要部分解斜視図
【図５】同洗濯機の底部コーナ部の部分断面図
【図６】同洗濯機の外枠下部の部分断面図
【図７】本発明の第３の実施例の洗濯機の保護カバーの一部切欠した平面図
【図８】本発明の第４の実施例の洗濯機の底面図
【図９】本発明の第５の実施例の洗濯機の保護カバーの平面図
【図１０】従来の洗濯機の斜視図
【図１１】同洗濯機の底面図
【符号の説明】
１  洗濯機本体
２  外枠下部
４  保護カバー
５ａ  遮蔽板部
５ｂ  遮蔽板部
７  ヒンジ部
【図１】
0003744156.tif 000002
【図２】
0003744156.tif 000003
【図３】
0003744156.tif 000004
【図４】
0003744156.tif 000005
【図５】
0003744156.tif 000006
【図６】
0003744156.tif 000007
【図７】
0003744156.tif 000008
【図８】
0003744156.tif 000009
【図９】
0003744156.tif 000010
【図１０】
0003744156.tif 000011
【図１１】
0003744156.tif 000012